(57)【要約】【課題】耐久性を向上させた静電タッチスイッチを簡易な構成により提供する。【解決手段】静電タッチスイッチ１０は、板厚方向に環状溝２１が形成され、該環状溝２１によって囲まれた領域を操作部２２とするとともに、環状溝２１の外側領域を周辺部２３とした樹脂製部材２０と、操作部２２と静電容量結合され、操作部２２の静電容量を計測する電気回路５０と、を備え、環状溝２１には、樹脂製部材２０よりも低誘電率の雰囲気が介在することを特徴とする。【選択図】図３
2014149998.tif 000002
【特許請求の範囲】
【請求項１】
板厚方向に環状溝（２１、２２１、３２１）が形成され、該環状溝によって囲まれた領域を操作部（２２、２２２、３２２）とするとともに、前記環状溝の外側領域を周辺部（２３）とした樹脂製部材（２０）と、
前記操作部と静電容量結合され、前記操作部の静電容量を計測する電気回路（５０）と、を備え、
前記環状溝には、前記樹脂製部材よりも低誘電率の雰囲気が介在することを特徴とする静電タッチスイッチ。
【請求項２】
前記周辺部の一部は、基準となる電位を有する基準電極（２３ａ）として機能し、
前記操作部の一部は、前記基準電極との間に静電容量を有する駆動電極（２２ａ）として機能し、
前記電気回路は、前記駆動電極と静電容量結合され、入力操作体の操作により変化した静電容量を計測することを特徴とする請求項１に記載の静電タッチスイッチ。
【請求項３】
前記環状溝（３２１）は、円環状であることを特徴とする請求項２に記載の静電タッチスイッチ。
【請求項４】
前記操作部又は前記周辺部のうち、前記電気回路側には、樹脂製の突出部（４０、５４０）が接続されることを特徴とする請求項２又は３に記載の静電タッチスイッチ。
【請求項５】
前記操作部（２２２）のうち一部は、パルス電圧の印加される駆動電極（２２ｃ）であり、その他の一部は、前記駆動電極と静電容量結合される受信電極（２２ｂ）であり、
前記電気回路は、前記駆動電極及び前記受信電極とそれぞれ静電容量結合され、前記入力操作体の操作により変化した静電容量を計測することを特徴とする請求項１に記載の静電タッチスイッチ。
【請求項６】
前記操作部のうち、前記電気回路側には、樹脂製の突出部（４０、５４０）が接続されることを特徴とする請求項５に記載の静電タッチスイッチ。
【請求項７】
前記環状溝（２１、２２１、３２１）の縁に沿って設けられる壁状突出部（４４２）を有することを特徴とする請求項１〜６のいずれか一項に記載の静電タッチスイッチ。
【請求項８】
前記突出部（５４０）は、前記樹脂製部材よりも誘電率の高い高誘電率部（５４１、６４１）を有することを特徴とする請求項４又は６に記載の静電タッチスイッチ。
【請求項９】
前記電気回路部は、静電容量を検出する検出回路部（５２）と、前記検出回路部へ電気信号を入出力する端子部（５３）とを、有し
前記突出部は、前記入力操作体による押圧方向にスライド可能に、前記端子部が結合される結合部であることを特徴とする請求項４、６、８のいずれか一項に記載の静電タッチスイッチ。
【請求項１０】
前記結合部は、一対の対向する板状に形成され、
前記端子部は、金属板状に形成され、前記結合部の間に挿入されて前記結合部に結合されることを特徴とする請求項９に記載の静電タッチスイッチ。
【請求項１１】
前記結合部のうち、互いに対向する面（４３）は、前記樹脂プレートとは反対側の先端に向かって互いに離間していくテーパ状であることを特徴とする請求項１０に記載の静電タッチスイッチ。
【発明の詳細な説明】
【技術分野】
【０００１】
本発明は、静電タッチスイッチに関する。
【背景技術】
【０００２】
操作部を指で接触操作する従来の静電タッチスイッチは、操作部を形成する樹脂製部材と、樹脂製部材の裏側に配置された電極とを備えて構成されている。そして、操作部に手指を接触させることに伴い生じる電極での静電容量変化を検出することで、手指の接触を検知する。なお、この種の静電タッチスイッチの検出方式として、駆動電極と、その周囲に位置する導電体（ＧＮＤ電極など）との静電容量の変化を測定する自己容量方式や、駆動電極と受信電極間の静電容量の変化を測定する相互容量方式が知られている（特許文献１参照）。
【先行技術文献】
【特許文献】
【０００３】
【特許文献１】特開２０１１−５９８３４号公報
【発明の概要】
【発明が解決しようとする課題】
【０００４】
しかし、これらの各電極には、電極パターンが形成されたフィルム状のスイッチシートが用いられており、該スイッチシートは、樹脂製部材の裏側に接着されている。そのため、スイッチシートが樹脂製部材から剥がれるおそれがあり、静電タッチスイッチとしての機能を損なうおそれがあるという課題があった。
【０００５】
本発明は、以上説明した問題に鑑みてなされたものであって、その目的は、耐久性を向上させた静電タッチスイッチを簡易な構成により提供することにある。
【課題を解決するための手段】
【０００６】
本発明の静電タッチスイッチ（１０）は、板厚方向に環状溝（２１）が形成され、該環状溝によって囲まれた領域を操作部（２２）とするとともに、環状溝の外側領域を周辺部（２３）とした樹脂製部材（２０）と、操作部と静電容量結合され、操作部の静電容量を計測する電気回路（５０）と、を備え、環状溝には、樹脂製部材よりも低誘電率の雰囲気が介在する。
【０００７】
本発明の環状溝には、樹脂よりも低誘電率の空気層（低誘電率層）が介在する。よって、樹脂製部材の内部を通る電気力線は、環状溝をまたいでは通りにくくなる。そのため、環状溝の外側に位置する周辺部と、環状溝の内側に位置する操作部との静電容量結合を弱くすることが可能となるので、操作部と周辺部との間の静電容量結合を弱くできる。よって、環状溝が形成されていない場合に比べて、操作部に入力操作体を近づけた時の静電容量変化を顕著にできるので、入力操作体の有無を電気回路で検知することが可能となる。
【０００８】
換言すれば、操作部と周辺部との間の静電容量結合が弱くなることにより、操作部及び周辺部に正負の電荷が顕著に現れるようになる。よって、入力操作体を操作部に接触させた時の操作部の電荷が顕著に変化するようになるので、入力操作体の有無を電気回路で検知することが可能となる。
【０００９】
以上により、本発明によれば、従来のスイッチシートを用いなくても、静電タッチスイッチの電極として操作部を機能させることができる。よって、静電タッチスイッチの耐久性を簡易な構成で向上させることができる。
【図面の簡単な説明】
【００１０】
【図１】本発明の第一実施形態による静電タッチスイッチを適用した操作パネルを示す正面図である。
【図２】図１の部分拡大図であり、本発明の第一実施形態による静電タッチスイッチを示す正面図である。
【図３】図２のIII−III線断面図である。
【図４】本発明の第一実施形態による静電タッチスイッチに対する入力操作体の（ａ）非操作時、（ｂ）操作時の等価回路を模式的に示した図である。
【図５】本発明の第二実施形態による静電タッチスイッチを示す正面図である。
【図６】図５のVI−VI線断面図である。
【図７】本発明の第二実施形態による静電タッチスイッチに対する入力操作体の（ａ）非操作時、（ｂ）操作時の等価回路を模式的に示した図である。
【図８】本発明の第三実施形態による静電タッチスイッチを示す正面図である。
【図９】本発明の第四実施形態による静電タッチスイッチを示す正面図である。
【図１０】図９のX-X線断面図である。
【図１１】本発明の第五実施形態による静電タッチスイッチを示す断面図である。
【図１２】本発明の他の実施形態による静電タッチスイッチを示す断面図である。
【図１３】本発明の他の実施形態による静電タッチスイッチを示す断面図である。
【図１４】本発明の他の実施形態による静電タッチスイッチを示す断面図である。
【発明を実施するための形態】
【００１１】
以下、本発明の複数の実施形態を図面に基づいて説明する。尚、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。
【００１２】
（第一実施形態）
図１〜４に示す本発明の第一実施形態による操作パネル１は、車室内のインストルメントパネルに設置される。図１に示すように、操作パネル１は、車室内に露出して意匠面を構成するものであり、操作者の手指３０により接触操作される複数の静電タッチスイッチ１０を有している。例えば、操作者が静電タッチスイッチ１０を手指３０で触ると空調装置が起動し、空調装置の運転状態が液晶表示部２に表示される。静電タッチスイッチ１０は、樹脂プレート２０、突出部４０及び電気回路５０等を備えている。ここで、第一実施形態〜第五実施形態における手指３０は、請求項の入力操作体に相当する。また、第一実施形態〜第五実施形態における樹脂プレート２０は、請求項の樹脂製部材に相当する。
【００１３】
樹脂プレート２０は、樹脂により平板状に形成されている。図２、３に示すように、樹脂プレート２０の電気回路５０側の板面２０ａには矩形環状につながる環状溝２１が形成されている。樹脂プレート２０のうち、環状溝２１が形成されている部分は、肉厚が薄くなっている分だけ誘電率が低くなっている。樹脂プレート２０は、手指３０により操作される操作部２２と、周辺部２３とを有している。操作部２２は、樹脂プレート２０のうち環状溝２１の内側部分である。操作部２２には、図１に示す静電タッチスイッチの意匠が印刷されている。また、樹脂プレート２０は、透明な樹脂により形成され、例えばバックライトにより操作部２２に印刷された意匠を照明することができる。周辺部２３は、樹脂プレート２０のうち環状溝２１の外側部分である。
【００１４】
第一実施形態では、周辺部２３の一部は、導電体（後述する端子部５３）と静電容量結合されることで、基準となる電位を有する基準電極２３ａとなっている。操作部２２の一部は、基準電極２３ａとの間に静電容量を有する駆動電極２２ａとなっている。操作部２２及び周辺部２３には、電気回路５０側に向かって突出する突出部４０が接続されている。樹脂プレート２０は、例えばポリカーボネートあるいはアクリル等から形成されている。環状溝２１の内部は、例えば空気等が存在することにより樹脂プレート２０よりも誘電率が低くなっている。
【００１５】
突出部４０は、樹脂により一対の対向する板状に形成されている。突出部４０は、操作部２２、周辺部２３それぞれに接続され、特に、操作部２２には、操作部２２の中央ではなく、偏った位置に設けられている。突出部４０のうち、互いに対向する面４３は、樹脂プレート２０とは反対側の先端に向かって互いに離間していくテーパ状となっている。突出部４０は、樹脂プレート２０と同じ材質であって樹脂プレート２０と一体成形される。突出部４０は、一対の板の間に電気回路５０の端子部５３が結合される結合部４０として機能し、手指３０による押圧方向にスライド可能となっている。結合部４０の板面は、端子部５３の板面と接触している。
【００１６】
電気回路５０は、回路基板５１、検出回路部５２及び端子部５３を有している。回路基板５１は、ガラスエポキシ基板等から形成されている。検出回路部５２は、マイクロコンピュータ等からなり、回路基板５１に実装されると共に端子部５３と電気的に接続され、駆動電極２３ａと周囲の導電体との間の静電容量を検出する。端子部５３は、金属板状であって結合部４０の間に挟まれて結合され、検出回路部５２へ各電極２２ａ、２３ａからの電気信号を入出力する。端子部５３と駆動電極２２ａ間は、誘電体である突出部４０内を電気力線が通ることによる静電容量結合により結合される。以上により、電気回路５０は、手指３０の操作により変化した静電容量を計測する。
【００１７】
以下、第一実施形態の静電タッチスイッチ１０の作動について図４をもとに、手指３０による（ａ）非操作時、（ｂ）操作時に分けて詳細に説明する。はじめに、（ａ）非操作時では、駆動電極２２ａには、ＧＮＤ電極である導電体と静電容量結合した基準電極２３ａとの間に静電容量が発生している。また、周囲の導電体との間には寄生容量２３ｂが発生している。（ｂ）操作時、手指３０が駆動電極２２ａに近づくと、導電体である手指３０と駆動電極２２ａとの間に静電容量が発生するため、駆動電極２２ａの静電容量は増加する。以上の説明のように、第一実施形態の静電タッチスイッチ１０は、非操作時から操作時への移行により増加した静電容量を測定することにより手指３０の接近を感知する自己容量方式を用いている。
【００１８】
樹脂プレート２０は、絶縁体からなり、突出部４０との静電容量結合により電荷が蓄積して駆動電極２２ａ及び基準電極２３ａは形成されている。また、樹脂プレート２０は、誘電体であり、樹脂よりも誘電率の低い低誘電率の空気が介在する環状溝２１により、仮想電極である駆動電極２２ａと基準電極２３ａは隔てられている。
（作用効果）
ここまで説明した第一実施形態の環状溝２１には、樹脂よりも低誘電率の空気層（低誘電率層）が介在することとなる。よって、樹脂プレート２０の内部を通る電気力線は、環状溝２１をまたいでは通りにくくなる。そのため、環状溝２１の外側に位置する周辺部２３と、環状溝２１の内側に位置する操作部２２との静電容量結合を弱くすることが可能となるので、操作部２２と周辺部２３との間の静電容量結合を弱くできる。よって、環状溝２１が形成されていない場合に比べて、操作部２２に入力操作体３０を近づけた時の静電容量変化を顕著にできるので、手指３０の有無を電気回路５０で検知することが可能となる。
【００１９】
換言すれば、操作部２２と周辺部２３との間の静電容量結合が弱くなることにより、操作部２２及び周辺部２３に正負の電荷が顕著に現れるようになる。よって、手指３０を操作部２２に接触させた時の操作部２２の電荷が顕著に変化するようになるので、手指３０の有無を電気回路５０で検知することが可能となる。
【００２０】
以上により、第一実施形態によれば、従来のスイッチシートを用いなくても、静電タッチスイッチ１０の電極として操作部２２を機能させることができる。よって、静電タッチスイッチ１０の耐久性を簡易な構成で向上させることができる。
【００２１】
さらに、樹脂プレート２０のうち、駆動電極２２ａと基準電極２３ａの、二つの電極２２ａ、２３ａは、環状溝２１を挟んだ内側と外側に近接することになる。そのため、駆動電極２２ａと基準電極２３ａとの間には、静電容量が発生する。ここで、駆動電極２２ａに手指３０が近づくと、駆動電極２２ａと手指３０の間に静電容量が発生する。その結果、基準電極２３ａと駆動電極２２ａとの間の静電容量と、駆動電極２２ａと手指３０の間の静電容量により、全体で発生する静電容量は増大することになる。
【００２２】
これによれば、環状溝２１の形成された樹脂プレート２０により、静電容量の変化を測定する自己容量方式の静電タッチスイッチ１０の電極２２ａ、２３ａを、環状溝２１の形成された樹脂プレート２０により機能させることができる。故に、従来のスイッチシートを用いなくても駆動電極２２ａと基準電極２３ａを機能させることができるので、耐久性の向上した静電タッチスイッチ１０を実現することができる。
【００２３】
さらに、ＧＮＤ電極と静電容量結合された基準電極２３ａを駆動電極２２ａの近傍に配置することができるので、手指３０が近づくと駆動電極２２ａとの間の静電容量の増加をより顕著にさせることができる。
【００２４】
加えて、環状溝２１の外側の周辺部２３は、ＧＮＤ電極と静電容量結合した基準電極２３ａとして機能するため、駆動電極２２ａの周囲は、ＧＮＤ電極と電気的につながることになる。そのため、駆動電極２２ａへの電磁波ノイズの影響を低減可能となる。
【００２５】
さらに、樹脂プレート２０と突出部４０は、ともに樹脂製の誘電体であり互いに接続されている。また、駆動電極２２ａ及び基準電極２３ａは、それぞれ樹脂プレート２０の内部に電荷が蓄積されることにより機能する仮想電極である。したがって、突出部４０も電極２２ａ、２３ａの一部として機能することとなり、突出部４０の分だけ電極として機能する誘電体の体積は大きくなる。そのため、各電極２２ａ、２３ａ周りには、突出部４０が接続されていない場合よりも多くの電荷が蓄積されることになる。故に、手指３０を操作部２２に接触させた時の操作部２２の電荷がより顕著に変化するようになり、手指３０の有無を検知しやすくなる。
【００２６】
また、突出部４０は樹脂製であるため、樹脂プレート２０と一体成形をすることができる。故に製造工数を増大させることなく、静電タッチスイッチ１０の感度を向上させることができる。
【００２７】
加えて、端子部５３は、手指３０による押圧方向にスライド可能に、結合部４０により結合されるので、各電極２２ａ、２３ａを手指３０により操作のために押したとしても、結合部４０と端子部５３は、互いにスライドして、その押圧方向の変位を吸収することができる。そのため、長期間の使用によっても、機能を損ないにくくなり、静電タッチスイッチ１０の耐久性を向上させることができる。
【００２８】
さらに加えて、端子部５３は金属板状であるとともに、結合部４０は一対の対向する板状であるので、結合部４０と端子部５３とは、互いに板状の平面又は曲面で接触することになる。そのため、電極となる端子部５３に対して誘電体である結合部４０を広い面積で接触させることができる。故に、誘電分極を大きなものとして電極に蓄積される電荷を増大させることができる。故に、手指３０を操作部２２に接触させた時の操作部２２の電荷がより顕著に変化するようになり、入力操作体３０の有無を検知しやすくなる。
【００２９】
また加えて端子部５３が挿入される結合部４０の対向面４３は、先端に向かって拡がっているため、端子部５３を挿入しやすい。そのため、端子部５３と結合部４０の組み付け作業性が向上するため、静電タッチスイッチ１０を容易に製造することができる。
【００３０】
（第二実施形態）
図５〜７に示すように、本発明の第二実施形態は第一実施形態の変形例である。図５に示すように、第二実施形態では、操作部２２２の一部は駆動電極２２ｃとして機能し、その他の一部は受信電極２２ｂとして機能する。駆動電極２２ｃと受信電極２２ｂは、それぞれ樹脂プレート２０内に設けられた仮想電極である。駆動電極２２ｃは、電気回路５０の端子部５３からパルス電圧を印加され、受信電極２２ｂは、駆動電極２２ｃと静電容量結合される。図６に示すように、駆動電極２２ｃ又は受信電極２２ｂのうち電気回路５０側の面には、樹脂製の突出部４０が操作部２２２を介して接続されている。これによれば、駆動電極２２ｃ又は受信電極２２ｂと、電気回路５０は、誘電体である突出部４０と操作部２２２内部を介して静電容量結合されることになる。そして、電気回路５０は、手指３０の操作部２２２への接触により変化した静電容量を計測する。
【００３１】
次に、第二実施形態の静電タッチスイッチ１０の作動について図７をもとに、手指３０による（ａ）非操作時、（ｂ）操作時に分けて詳細に説明する。はじめに、（ａ）非操作時では、駆動電極２２ｃ側に印加されたパルス電圧により駆動電極２２ｃと受信電極２２ｂとの間に静電容量が発生する。そして、（ｂ）操作時、手指３０が駆動電極２２ｃに近づくと、手指３０と受信電極２２ｂとの間に静電容量が発生するため、駆動電極２２ｃに蓄積した電荷の一部は手指３０へ流れて、検出される電荷の量は減少する。その結果、手指の３０の操作部２２２への接触により検知される静電容量は減少する。
【００３２】
以上の説明のように、第二実施形態の静電タッチスイッチ１０は、非操作時から操作時の移行により減少した静電容量を測定することにより手指３０の接近を感知する相互容量方式を用いている。
【００３３】
樹脂プレート２０は、絶縁体であるが、電気回路４０との突出部４０を介した静電容量結合により絶縁体内部に電荷が蓄積して駆動電極２２ｃと受信電極２２ｂとが仮想電極として機能している。駆動電極２２ｃと受信電極２２ｂとは、操作部２２２内部で互いに近づくにつれて、電荷の大きさが徐々に小さくなっていくことで、分離されている。
（作用効果）
ここまで説明した第二実施形態によれば、樹脂プレート２０の操作部２２２のうち一部を、電気回路５０と静電容量結合させることにより電荷を蓄積させて駆動電極２２ｃとして機能させることができる。また、その他の一部を、駆動電極２２ｃとは離間して電気回路５０と静電容量結合させることにより電荷を蓄積させて受信電極２２ｂとして機能させることができる。
【００３４】
さらに、受信電極２２ｂに対応する端子部５３と、駆動電極２２ｃに対応する端子部５３とをそれぞれ離間させて配置しているので、環状溝２２１の内部に位置する２つの電極２２ｂ、２２ｃを、十分に分離して機能させることができる。すなわち、手指３０が操作部２２２に接触した時、蓄積された電荷を十分に変化させることができ、受信電極２２ｂと駆動電極２２ｃを用いた相互容量方式の静電タッチスイッチ１０を実現させることができる。
【００３５】
また、駆動電極２２ｃ及び受信電極２２ｂと、周辺部２３の他の電極と、の間の静電容量結合は、環状溝２２１をまたいで電気力線が通りにくいため弱くなる。その結果、周辺部２３の他の電極により駆動電極２２ｃと受信電極２２ｂとの間の静電容量に影響を及ぼしにくくなり、他の電極が存在する一般的な使用状況であっても、相互容量方式の静電タッチスイッチ１０を機能させることができる。故に、はがれやすい従来のスイッチシートを用いることなく、耐久性の向上した静電タッチスイッチ１０を実現することができる。
【００３６】
さらに、樹脂プレート２０と突出部４０は、ともに樹脂製の誘電体であり互いに接続されている。また、駆動電極２２ｃ及び受信電極２２ｂはそれぞれ樹脂プレート２０の内部に電荷が蓄積されることにより機能する仮想電極である。ここで、各電極２２ｃ、２２ｂ周りの誘電体の体積は、突出部４０が樹脂プレート２０に接続されていない場合よりも大きくなる。そのため、各電極２２ｃ、２２ｂ周りには、突出部４０が接続されていない場合よりも多くの電荷が蓄積されることになる。故に、手指３０を操作部２２２に接触させた時の操作部２２２の電荷がより顕著に変化するようになり、手指３０の有無を検知しやすくなる。
【００３７】
また、突出部４０は樹脂製であるため、樹脂プレート２０と一体成形をすることができる。故に製造工数を増大させることなく、静電タッチスイッチ１０の感度を向上させることができる。
【００３８】
（第三実施形態）
図８の本発明の第三実施形態は第一実施形態の変形例である。第一実施形態では、環状溝２１は矩形状であるのに対し、第三実施形態では、環状溝３２１は円環状に形成され、環状溝３２１の内側部分である操作部３２２は円盤状となっている。
（作用効果）
ここまで説明した第三実施形態によると、基準電極２３ａと駆動電極２２ａを隔てる環状溝３２１が円環状であるので、環状溝３２１が矩形状である場合と比較して、手指３０が操作した駆動電極２２ａの真上の箇所から、環状溝３２１の外周側にある基準電極２３ａまでの距離の総和を短くすることができる。そのため、環状溝３２１が矩形状である場合と比較して、駆動電極２２ａと基準電極２３ａの間の距離の総和を短くすることで各電極２２ａ、２３ａに電荷を多く蓄積させることができる。その結果、手指３０が操作部３２２に接触すると、駆動電極２２ａの電荷の変化をより顕著にすることができるため、手指３０の検出感度を高くすることができる。
【００３９】
（第四実施形態）
本発明の第四実施形態は第一実施形態〜第三実施形態の変形例である（図９、１０は、第一実施形態の変形例）。第四実施形態では、操作部２２には、電気回路５０側に向かって突出する壁状突出部４４２が突出部４０の周りに設けられている。図１０では、壁状突出部４４２は、樹脂により環状溝２１の縁にそった壁状に形成されている。壁状突出部４４２及び突出部４０は、樹脂プレート２０に一体成形される。
（作用効果）
ここまで説明した第四実施形態によると、誘電体である壁状突出部４４２は環状溝２１の縁に沿って設けられるため、樹脂プレート２０のうち、壁状突出部４４２の接続された箇所から環状溝２１へは、誘電率が大きく減少することになる。そのため、電気力線の通り具合を大きく変化させることができるので、樹脂プレート２０のうち、環状溝２１の内側、もしくは外側に設けられる各電極同士の静電容量結合をより効果的に弱めることができる。故に、各電極同士をより効果的に分離して、静電タッチスイッチ１０を構成することができる。
【００４０】
（第五実施形態）
本発明の第五実施形態は第一実施形態〜第四実施形態の変形例である（図１１は、第二実施形態の変形例）。第五実施形態では、突出部５４０は、内部に樹脂プレート２０よりも誘電率の高い高誘電率部５４１を有している。例えば、高誘電率部５４１は、樹脂プレート２０とは異なる材質の樹脂を内部に充填したものである。
（作用効果）
ここまで説明した第五実施形態によると、突出部５４０には、樹脂プレート２０よりも誘電率の高い高誘電率部５４１があるので、高誘電率部５４１がない場合と比較して、各電極２２ｃ、２２ｂに蓄積される電荷を大きなものとすることができる。そのため、手指３０の操作部２２２への接触による静電容量変化をより大きなものとすることができる。故に手指３０の操作部２２２への接触を検出する静電タッチスイッチ１０の感度を向上させることができる。
【００４１】
（他の実施形態）
以上、本発明の複数の実施形態について説明したが、本発明は、それらの実施形態に限定して解釈されるものではなく、本発明の要旨を逸脱しない範囲内において種々の実施形態及び組み合わせに適用することができる。
【００４２】
第一実施形態〜第五実施形態において、樹脂プレート２０は平板状であるとしたが、板面２０ａの全体が完全に平坦になっている必要はなく、一部に凹凸があってもよい。また、第一実施形態〜第五実施形態において、樹脂プレート２０は、ポリカーボネートあるいはアクリル等から形成されるとしたが、硬度、誘電率等を満たしていればＡＢＳ等の他の樹脂であってもよい。加えて、第一実施形態〜第五実施形態において、樹脂プレート２０は、透明な樹脂により形成されるとしたが、透明でなくてもよい。
【００４３】
さらに、第一実施形態〜第五実施形態において、環状溝２１，２２１，３２１には、樹脂よりも低誘電率の空気層（低誘電率層）が介在するとしたが、樹脂プレート２０よりも低誘電率の物質による低誘電率層が介在するとしてもよい。前記物質は気体に限らず、固体または液体であってもよい。また、第一実施形態〜第五実施形態において、環状溝２１，２２１，３２１は、樹脂プレート２０の一部であるとしたが、環状溝２１，２２１，３２１を操作部２２，２２２，３２２及び周辺部２３よりも誘電率の低い物質からなる別部材として構成してもよい。加えて、第五実施形態において、高誘電率部５４１は、突出部５４０の内部に設けられているとしたが、樹脂プレート２０の一部を樹脂プレート２０の他の部分よりも誘電率の高い高誘電率部６４１（図１２に示す）としてもよいし、壁状突出部４４２の内部に設けられていてもよい。さらに、第一実施形態〜第五実施形態において、突出部４０、５４０は、操作部２２の中央ではなく偏った位置に設けられているとしたが、中央に設けられていてもよい。
【００４４】
また、第五実施形態において、高誘電率部５４１を例えば樹脂プレート２０とは異なる材質の樹脂により形成されるとしたが、水等の別の物質により形成してもよい。さらに、第一実施形態〜第五実施形態において、突出部４０，５４０の一対の板面はテーパ状になっているとしたが、図１３に示すようにテーパを形成しなくてもよい。加えて、第一実施形態〜第五実施形態において、突出部４０、５４０のうち、一対の対向する板面とは反対側の板面をテーパ状に形成してもよい。これによれば、樹脂プレート２０と突出部４０、５４０との接触面積を広くすることができる。
【００４５】
さらに、第一実施形態〜第五実施形態において、環状溝２１、２２１、３２１は、環状に形成されているとしたが、環状の途中で樹脂が厚くなっている箇所を設けて樹脂プレート２０の強度を補強してもよい。あるいは、溝を間欠的に形成することで溝の形成されていない部分で樹脂プレート２０の強度を補強することとしてもよい。
【００４６】
また、第一実施形態〜第五実施形態において、環状溝２１、２２１、３２１は、樹脂プレート２０の電気回路５０側の板面２０ａに形成されているとしたが、反対側の板面に形成されていてもよい。さらに、第一実施形態〜第五実施形態において、樹脂プレート２０の電気回路５０側に金属箔を設ける、又は、金属を蒸着する等してもよい。加えて、第三実施形態は、自己容量方式の静電タッチスイッチ１０を想定したが、相互容量方式を適用してもよい。第一実施形態〜第五実施形態において、入力操作体３０として手指３０としたが、タッチペン等を用いてもよい。
【００４７】
また、第一実施形態〜第五実施形態に係る樹脂製部材は、平板状に形成された樹脂プレート２０であるが、平板状に限らず、意匠面が湾曲した形状の樹脂プレートであってもよい。
【符号の説明】
【００４８】
１  操作パネル、１０  静電タッチスイッチ、２０  樹脂製部材（樹脂プレート）、２１、２２１、３２１  環状溝、２２、２２２，３２２  操作部、２２ａ  駆動電極（自己容量方式）、２２ｂ  受信電極、２２ｃ  駆動電極（相互容量方式）、２３ａ  基準電極、３０  入力操作体（手指）、４０、５４０  突出部（結合部）、４４２  壁状突出部、５０  電気回路、５１  回路基板、５２  検出回路部、５３  端子部、５４１、６４１  高誘電率部
【図１】
2014149998.tif 000003
【図２】
2014149998.tif 000004
【図３】
2014149998.tif 000005
【図４】
2014149998.tif 000006
【図５】
2014149998.tif 000007
【図６】
2014149998.tif 000008
【図７】
2014149998.tif 000009
【図８】
2014149998.tif 000010
【図９】
2014149998.tif 000011
【図１０】
2014149998.tif 000012
【図１１】
2014149998.tif 000013
【図１２】
2014149998.tif 000014
【図１３】
2014149998.tif 000015
【図１４】
2014149998.tif 000016